(57)【要約】【課題】ソフトケースの利便性を損なうことなく、防水性を確保する上で有利な電子機器用ソフトケースおよび電子機器用ハードケースを提供する。【解決手段】電子機器用ソフトケース２０のケース本体２２の開口部２４に沿って延在する第１リブ部２６の近傍に第２リブ部２８を設けた。開口部２４の周囲を硬質材料で形成された電子機器用ハードケース４０により筐体１２に押し付け、開口部２４部分を覆うことにより電子機器用ソフトケース２０と電子機器用ハードケース４０により防水ケースを構成できる。２つのリブ部２６、２８が電子機器用ハードケース４０の第１、第２凹部４８、５０に装着されることでそれらリブ部２６、２８と第１、第２凹部４８、５０との装着状態が強固に維持される。【選択図】図１７
2010191010.tif 000002
【特許請求の範囲】
【請求項１】
柔軟性、弾性、防水性を有する材料で形成され電子機器の筐体に装着され前記筐体に設けられた表示面を除いた残りの部分を覆うケース本体と、
前記ケース本体に設けられ前記電子機器の筐体が装脱され、かつ、前記表示面を該ケース本体の外部に露出させる開口部と、
前記電子機器の筐体に前記ケース本体が装着された状態で前記筐体に接触する前記ケース本体の内面と反対に位置する前記ケース本体の外面に形成され前記開口部の外側に沿って延在し前記開口部を囲む第１リブ部と、
前記外面に形成され前記第１リブ部の近傍で前記第１リブ部の前記開口部から離れた箇所に前記第１リブ部の一部分に沿って延在する第２リブ部と、
前記第１リブ部と前記第２リブ部との間の前記外面に形成された凹部と、
を備える電子機器用ソフトケース。
【請求項２】
前記第１リブ部と前記第２リブ部とを連結する複数の第３リブ部をさらに備える、
請求項１記載の電子機器用ソフトケース。
【請求項３】
前記凹部は前記第３リブ部により複数に分割されている、
請求項２記載の電子機器用ソフトケース。
【請求項４】
前記開口部は矩形を呈し、
前記第１リブ部は、前記矩形の四辺の外側を延在する四辺を有し、
前記第１リブ部の一部分は、前記第１リブ部の四辺のうちの一辺である、
請求項１記載の電子機器用ソフトケース。
【請求項５】
前記ケース本体は、ストラップ挿通部を有し、
前記第１リブ部の一部分は、前記ストラップ挿通部寄りの前記第１リブ部の部分である、
請求項１記載の電子機器用ソフトケース。
【請求項６】
前記開口部は矩形を呈し、
前記第１リブ部は、前記矩形の四辺の外側を延在する四辺を有し、
前記第１リブ部は、前記開口部寄りに位置する内側面と、この内側面の反対に位置する外側面とを有しており、
前記第１リブ部の部分の前記内側面に、前記ケース本体の内面から離れるにつれて次第に前記開口部を大きくする傾斜の傾斜面が形成されている、
請求項１記載の電子機器用ソフトケース。
【請求項７】
前記開口部は矩形を呈し、
前記第１リブ部は、前記矩形の四辺の外側を延在する四辺を有し、
前記第１リブ部は、前記開口部寄りに位置する内側面と、この内側面の反対に位置する外側面とを有しており、
前記第１リブ部の４辺のうちの１辺を構成する第１リブ部分の前記内側面に、前記ケース本体の内面から離れるにつれて次第に前記開口部を大きくする傾斜の傾斜面が形成されている、
請求項１記載の電子機器用ソフトケース。
【請求項８】
前記ケース本体は、前記開口部が設けられた第１の面と、前記第１の面に対向する第２の面を有し、
前記第２の面に前記筐体に設けられた鏡筒を露出させる鏡筒用開口部が形成され、
前記鏡筒用開口の周囲の前記第２の面の箇所に前記鏡筒用開口部を囲む鏡筒用リブが膨出形成され、
前記鏡筒用リブ部は、前記鏡筒用開口部寄りに位置する内側面と、この内側面の反対に位置する外側面とを有しており、
前記内側面に、前記ケース本体の内面から離れるにつれて次第に前記鏡筒用開口部を大きくする傾斜の傾斜面が形成されている、
請求項１記載の電子機器用ソフトケース。
【請求項９】
表示面を有する電子機器に装着された柔軟性、弾性、防水性の材料からなるソフトケースの前記表示面を露出させる開口部が設けられた第１の面に配置される硬質材料からなる第１の分割体と、
前記第１の分割体に揺動可能に結合され前記第１の面と反対に位置する前記ソフトケースの第２の面に配置される硬質材料からなる第２の分割体と、
前記第１の分割体と第２の分割体により、前記電子機器に装着されたソフトケースを挟持した状態に保持する保持部と、
前記第１の分割体に前記開口部を覆うように設けられ前記開口部を介して前記表示面を前記第１の分割体の外部に視認させる窓部と、
前記第１の分割体に設けられ前記第１の面の前記開口部の周囲の全周に沿って延在し前記開口部の周囲の前記第１の面に当て付けられる第１当て付け部と、
前記第１当て付け部が前記開口部の周囲の前記第１の面に当て付けられる内面で前記第１当て付け部の延在方向の全長にわたって形成された第１凹部と、
前記第１当て付け部が前記開口部の周囲の前記第１の面に当て付けられる内面で前記第１凹部の近傍かつ前記第１凹部よりも前記開口部から離れた箇所に前記第１凹部の一部分に沿って延在する第２凹部と、
前記第１当て付け部が前記開口部の周囲の前記第１の面に当て付けられる内面で前記第１凹部と前記第２凹部の間に形成されそれら第１凹部と第２凹部に沿って延在する凸部と、
を備える電子機器用ハードケース。
【請求項１０】
前記凸部に、前記第１凹部と前記第２凹部とを接続する第３凹部が設けられている、
請求項９記載の電子機器用ハードケース。
【請求項１１】
前記第３凹部は、前記凸部の延在方向に間隔をおいて複数設けられている、
請求項１０記載の電子機器用ハードケース。
【請求項１２】
前記開口部は矩形を呈し、
前記第１凹部は、前記矩形の四辺の外側を延在する四辺を有し、
前記第１凹部の一部分は、前記第１凹部の四辺のうちの一辺である、
請求項９記載の電子機器用ハードケース。
【請求項１３】
前記ソフトケースは、ストラップ挿通部を有し、
前記第１凹部の一部分は、前記ストラップ挿通部寄りの前記第１凹部の部分である、
請求項９記載の電子機器用ハードケース。
【請求項１４】
前記第１分割体と前記第２分割体はヒンジを介して結合され、
前記第１凹部は、前記開口部寄りに位置する内側面と、この内側面に対向する外側面とを有しており、
前記ヒンジ寄りの前記第１凹部の部分の前記内側面に、前記内面から離れるにつれて次第に前記外側面から離れる傾斜の傾斜面が形成されている、
請求項９記載の電子機器用ハードケース。
【請求項１５】
前記第１分割体と前記第２分割体はヒンジを介して結合され、
前記開口部は矩形を呈し、
前記第１凹部は、前記矩形の四辺の外側を延在する四辺を有し、
前記第１凹部は、前記開口部寄りに位置する内側面と、この内側面の対向する外側面とを有しており、
前記第１凹部の４辺のうちの１辺は前記ヒンジ寄りに位置しており、
前記ヒンジ寄りの１辺を構成する第１凹部部分の前記内側面に、前記内面から離れるにつれて次第に前記外側面から離れる傾斜の傾斜面が形成されている、
請求項９記載の電子機器用ハードケース。
【請求項１６】
前記第２の分割体に、前記ソフトケースの第２の面の鏡筒用開口部から突出する前記筐体の鏡筒を収容する筒部が設けられ、
前記筒部が前記鏡筒用開口部の周囲の前記第２の面に当て付けられる内面に前記鏡筒用開口部の全周を囲む鏡筒用凹部が形成され、
前記鏡筒用凹部は、前記鏡筒用開口部寄りに位置する内側面と、この内側面に対向する外側面とを有しており、
前記内側面に、前記内面から離れるにつれて次第に前記外側面から離れる傾斜の傾斜面が形成されている、
請求項９記載の電子機器用ハードケース。
【発明の詳細な説明】
【技術分野】
【０００１】
本発明は電子機器用ソフトケースおよび電子機器用ハードケースに関する。
【背景技術】
【０００２】
デジタルスチルカメラなどの電子機器を汚れや衝撃、あるいは傷つきから保護するために、電子機器を収納する保護用のソフトケースが提供されている（特許文献１参照）。
また、ＰＣ（ポリカーボーネート）などの硬質の合成樹脂材料で形成され、電子機器を防水状態で収納する防水ケースが提供されている（特許文献２参照）。
上述のソフトケースは、シリコンやエラストマーなどの材料で形成され、軽量化、薄型化が図られ、耐衝撃性に優れている。
ソフトケースは、電子機器を挿脱するための開口部が形成されていることから、材料自体が防水性を有していても、電子機器を水中や水辺などの常時水に接する環境で使用する際には不適である。
このようなソフトケースとして、電子機器を挿脱するための開口部を、電子機器の表示面に合わせ、ソフトケースが電子機器に装着された状態で、開口部から表示面をソフトケースの外部に露出させるようにしたものが提供されている。
上述の防水ケースは、２つ分割体からなり、それら分割体が合わさることで内部に液密な空間が形成され、電子機器はこの液密な空間に収容されて水中などで使用されている。
したがって、従来の防水ケースは、電子機器より一回り大きい箱型の形状となっており、コンパクト化を図る上で不利がある。
【先行技術文献】
【特許文献】
【０００３】
【特許文献１】特開２００６−１９６７７６
【特許文献２】特開２００８−２８１７０４
【発明の概要】
【発明が解決しようとする課題】
【０００４】
ところで、上記ソフトケースが電子機器の筐体に装着され表示面が開口部から露出した状態では、開口部を除いたソフトケースの残りの部分が筐体を覆うことになる。
そこで、従来の防水ケースと同様の硬質材料で形成されたハードケースを用意し、このハードケースにより開口部の周囲のソフトケース部分を筐体に押し付けると共に、ハードケースにより開口部を覆う。するとソフトケースとハードケースとで防水ケースを構成することができる。
したがって、防水が必要ない環境下では電子機器にソフトケースのみを装着して使用しておき、防水が必要になったときだけ、ソフトケースの上からハードケースを装着すればよい。
このようにすれば、軽量でかつ薄型のソフトケースとコンパクトなハードケースを利用して防水を行うことができるため、利便性の向上を図る上で好ましい。
しかしながら、ソフトケースは柔軟性を有していることから、外力により容易に変形してしまう。
そのため、例えば、ソフトケースの開口部近傍の箇所に、ストラップ挿通用の孔が形成され、該孔に挿通されたストラップが引っ張られることでソフトケースが変形すると、ソフトケースとハードケースとの間に隙間が生じて水漏れを生じることが懸念される。
本発明はこのような事情に鑑みなされたものであり、その目的は、ソフトケースの利便性を損なうことなく、防水性を確保する上で有利な電子機器用ソフトケースおよび電子機器用ハードケースを提供することにある。
【課題を解決するための手段】
【０００５】
上述の目的を達成するため、本発明の電子機器用ソフトケースは、柔軟性、弾性、防水性を有する材料で形成され電子機器の筐体に装着され前記筐体に設けられた表示面を除いた残りの部分を覆うケース本体と、前記ケース本体に設けられ前記電子機器の筐体が装脱され、かつ、前記表示面を該ケース本体の外部に露出させる開口部と、前記電子機器の筐体に前記ケース本体が装着された状態で前記筐体に接触する前記ケース本体の内面と反対に位置する前記ケース本体の外面に形成され前記開口部の外側に沿って延在し前記開口部を囲む第１リブ部と、前記外面に形成され前記第１リブ部の近傍で前記第１リブ部の前記開口部から離れた箇所に前記第１リブ部の一部分に沿って延在する第２リブ部と、前記第１リブ部と前記第２リブ部との間の前記外面に形成された凹部とを備える。
また本発明の電子機器用ハードケースは、表示面を有する電子機器に装着された柔軟性、弾性、防水性の材料からなるソフトケースの前記表示面を露出させる開口部が設けられた第１の面に配置される硬質材料からなる第１の分割体と、前記第１の分割体に揺動可能に結合され前記第１の面と反対に位置する前記ソフトケースの第２の面に配置される硬質材料からなる第２の分割体と、前記第１の分割体と第２の分割体により、前記電子機器に装着されたソフトケースを挟持した状態に保持する保持部と、前記第１の分割体に前記開口部を覆うように設けられ前記開口部を介して前記表示面を前記第１の分割体の外部に視認させる窓部と、前記第１の分割体に設けられ前記第１の面の前記開口部の周囲の全周に沿って延在し前記開口部の周囲の前記第１の面に当て付けられる第１当て付け部と、前記第１当て付け部が前記開口部の周囲の前記第１の面に当て付けられる内面で前記第１当て付け部の延在方向の全長にわたって形成された第１凹部と、前記第１当て付け部が前記開口部の周囲の前記第１の面に当て付けられる内面で前記第１凹部の近傍かつ前記第１凹部よりも前記開口部から離れた箇所に前記第１凹部の一部分に沿って延在する第２凹部と、前記第１当て付け部が前記開口部の周囲の前記第１の面に当て付けられる内面で前記第１凹部と前記第２凹部の間に形成されそれら第１凹部と第２凹部に沿って延在する凸部とを備える。
【発明の効果】
【０００６】
本発明の電子機器用ソフトケースによれば、ケース本体の開口部に沿って延在する第１リブ部の近傍に第２リブ部を設けた。
そのため、電子機器用ハードケースの窓部の周囲に２つの凹部を設けておき、それら凹部に第１、第２リブ部を弾接させることにより、第１、第２リブ部と凹部との装着状態が強固に維持される。
したがって、柔軟性を有する電子機器用ソフトケースの開口部近傍の箇所に外力による変形を生じたとしても、第１、第２リブ部が倒れにくく、該箇所が電子機器用ハードケースの窓部から外れることはない。
したがって、水漏れを確実に防止でき、電子機器用ソフトケースの利便性を損なうことなく防水性を確保する上で有利となる。
また、本実施の形態の電子機器用ハードケースによれば、硬質材料からなる第１分割体のうち、ソフトケースの開口部の近傍に位置する箇所に第１凹部と第２凹部を設けた。
そのため、ソフトケースの開口部の周囲に２つのリブ部を形成しておき、それらリブ部を第１、第２凹部にそれぞれ弾接させることにより、リブ部と第１、第２凹部との装着状態が強固に維持される。
したがって、ソフトケースが変形して窓部から外れることを阻止でき、防水性を確保する上で有利となる。
【図面の簡単な説明】
【０００７】
【図１】本実施の形態の電子機器用ソフトケース２０および電子機器用ハードケース４０を装着する撮像装置１０を前方から見た斜視図である。
【図２】本実施の形態の電子機器用ソフトケース２０および電子機器用ハードケース４０を装着する撮像装置１０を後方から見た斜視図である。
【図３】本実施の形態の電子機器用ソフトケース２０を前方から見た斜視図である。
【図４】本実施の形態の電子機器用ソフトケース２０を後方から見た斜視図である。
【図５】電子機器用ソフトケース２０の後壁部２２Ｂを破断した斜視図である。
【図６】図５のＡＡ線断面図である。
【図７】撮像装置１０を表示面用の開口部２４を介してケース本体２２に挿入する状態を示す説明図である。
【図８】撮像装置１０に装着された電子機器用ソフトケース２０を前方から見た斜視図である。
【図９】撮像装置１０に装着された電子機器用ソフトケース２０を後方から見た斜視図である。
【図１０】電子機器用ハードケース４０を前方から見た斜視図である。
【図１１】電子機器用ハードケース４０を後方方から見た斜視図である。
【図１２】電子機器用ハードケース４０を開いた状態で見た斜視図である。
【図１３】撮像装置１０に装着された電子機器用ソフトケース２０に電子機器用ハードケース４０を取り付ける際の説明図である。
【図１４】撮像装置１０に装着された電子機器用ソフトケース２０に電子機器用ハードケース４０を取り付けた状態を前方から見た斜視図である。
【図１５】撮像装置１０に装着された電子機器用ソフトケース２０に電子機器用ハードケース４０を取り付けられた状態を後方から見た斜視図である。
【図１６】撮像装置１０に装着された電子機器用ソフトケース２０に電子機器用ハードケース４０を取り付ける過程を示す下面図である。
【図１７】撮像装置１０に装着された電子機器用ソフトケース２０に電子機器用ハードケース４０が取り付けられた状態を示す下面図である。
【図１８】図１６のＡ部分の拡大図である。
【図１９】図１６のＢ部分の拡大図である。
【図２０】図１６のＣ部分の拡大図である。
【図２１】図１６のＤ部分の拡大図である。
【図２２】電子機器用ソフトケース２０の変形例における後壁部２２Ｂを破断した斜視図である。
【発明を実施するための形態】
【０００８】
次に、本発明の実施の形態について図１乃至図２１を参照して説明する。
まず、本発明の電子機器用ソフトケースが装着される電子機器について説明する。
本実施の形態では、電子機器が撮像装置１０である場合について説明する。
図１、図２に示すように、撮像装置１０はデジタルスチルカメラであり、外装を構成する筐体１２を有している。
筐体１２は前後方向の厚さと、厚さよりも大きな寸法の高さと、高さよりも大きな寸法の幅とを有する扁平な矩形板状を呈している。
筐体１２は前面１２Ａ、後面１２Ｂ、上面１２Ｃ、下面１２Ｄ、左側面１２Ｅ、右側面１２Ｆを有している。
なお、本実施の形態では、被写体側を前方、その反対側を後方とし、前方から見た状態で左右をいうものとする。
【０００９】
前面１２Ａの右側部には、レンズ鏡筒１４が組み込まれている。
レンズ鏡筒１４は、被写体像を該レンズ鏡筒１４に組み込まれた不図示の撮像素子に導く撮影光学系１６を備えている。撮像素子は、撮影光学系１６によって結像された被写体像を撮像して撮像信号を生成するものであり、ＣＣＤやＣＭＯＳセンサなどで構成されている。
撮影光学系１６は複数のレンズを含んで構成され、最も被写体側に位置するレンズは対物レンズ１６Ａである。
レンズ鏡筒１４は、対物レンズ１６Ａが前面１２Ａから前方に突出した突出位置と、図１に示すように対物レンズ１６Ａが筐体１２の内部に没入した収容位置との間で移動するように構成されている。
図１、図１６に示すように、レンズ鏡筒１４の外側に位置する前面１２Ａの部分には、レンズ鏡筒１４を囲むように円環状の加飾部材１３が設けられている。
【００１０】
図１に示すように、筐体１２の前面１２Ａ上部には、撮影補助光を出射するフラッシュ１６Ａ、オートフォーカス用の補助光を発行する発光部１６Ｂなどが設けられている。
筐体１２の上面１２Ｃには、撮像を行うためのシャッタボタン１６Ｃ、電源ボタン１６Ｄなどが設けられている。
筐体１２の後面１２Ｂの左側部には、ズーム操作を行うズームレバー１６Ｅ、撮影モードを選択するモードダイヤル１６Ｆ、撮影機能を選択する機能選択スイッチ１６Ｇが設けられている。また、後面１２Ｂの左側部には、さらに、再生を行うための再生キー１６Ｈ、メニュー表示用のメニュースイッチ１６Ｉなどが設けられている。
筐体１２の後面１２Ｂのほぼ中央には、ディスプレイパネル１８が設けられている。
ディスプレイパネル１８の表示面１８Ａは矩形状を呈しており、表示面１８Ａには、撮影した静止画、動画、あるいはメニュー画面などが表示される。
ディスプレイパネル１８としては液晶表示パネル、あるいは、有機ＥＬ表示パネルなど従来公知の様々なディスプレイパネルが採用可能である。
【００１１】
図３乃至図６に示すように、電子機器用ソフトケース２０は、ケース本体２２と、表示面用の開口部２４と、鏡筒用の開口部２５と、第１リブ部２６と、第２リブ部２８と、第３リブ部３０と、凹部３２などを含んで構成されている。
【００１２】
図３、図４に示すように、ケース本体２２は、柔軟性、弾性、防水性を有する材料で形成されている。
ケース本体２２は、撮像装置１０の筐体１２に装着され表示面１８Ａを除いた筐体１２の残りの部分を覆うものである。本実施の形態では、ケース本体２２が筐体１２に装着された状態で、ケース本体２２は、表示面１８Ａと鏡筒１４とを除いた筐体１２の残りの部分を覆っている。
ケース本体２２を構成する柔軟性、弾性、防水性を有する材料としては、シリコン、エラストマーなど従来公知のさまざまな材料が採用可能である。
なお、本実施の形態では、ケース本体２２の材料として透明なシリコンに黒色と青色の染料あるいは顔料を混合した材料を用いている。
このような材料を用いることにより、ケース本体２２が撮像装置１０の筐体１２に装着された状態でケース本体２２の外側から筐体１２表面に印刷された操作用表示文字あるいは操作用表示記号を視認できるようにし、ソフトケース２０の実用性を高めている。
また、前記材料を用いることにより、単に透明なシリコンを用いた場合に比較して経時変化に伴うケース本体２２の黄変を防止し、外観性を高める上で有利となっている。
【００１３】
ケース本体２２は、筐体１２の前面１２Ａ、後面１２Ｂ、上面１２Ｃ、下面１２Ｄ、左側面１２Ｅ、右側面１２Ｆを覆う前壁部２２Ａ、後壁部２２Ｂ、上壁部２２Ｃ、下壁部２２Ｄ、左壁部２２Ｅ、右壁部２２Ｆを有している。
ケース本体２２は筐体１２に装着された状態で、筐体１２に接触する内面と、この内面の反対に位置する外面とを有している。
ケース本体２２の左壁部２２Ｅの外面の下部には、膨出部３３が膨出形成され、膨出部３３にストラップ挿通用孔３４が設けられ、膨出部３３とストラップ挿通用孔３４によりストラップ挿通部３５が形成されている。
【００１４】
図３、図４に示すように、表示面用の開口部２４は、後壁部２２Ｂに設けられ、ケース本体２２が筐体１２に装着された状態で、表示面１８Ａを該ケース本体２２の外部に露出させるものである。
図７に示すように、表示面用の開口部２４は、該開口部２４を介して筐体１２が装脱される箇所としても機能する。
表示面用の開口部２４は表示面１８Ａとほぼ同じ大きさの矩形を呈している。
【００１５】
図３、図４に示すように、鏡筒用の開口部２５は、前壁部２２Ａに設けられ、ケース本体２２が筐体１２に装着された状態で、鏡筒１４を該ケース本体２２の外部に露出させるものである。
鏡筒用の開口部２５は鏡筒１４の外径よりも大きな直径の円形を呈している。
したがって、ケース本体２２が筐体１２に装着された状態で、表示面１８Ａ用の開口部２４と鏡筒用の開口部２５を除いたケース本体２２の残りの部分は筐体１２を覆っている。
また、開口部２４、２５の周囲のソフトケース２０部分を電子機器用ハードケース４０により筐体１２に押し付け、開口部２４、２５部分を覆うことにより電子機器用ソフトケース２０と電子機器用ハードケース４０により防水ケースが構成される。
【００１６】
図４、図５、図６に示すように、第１リブ部２６は、後壁部２２Ｂの外面で表示面用の開口部２４の外側に沿って延在形成され開口部２４を囲むものである。
第１リブ部２６は、表示面用の開口部２４の矩形の四辺の外側を直線状に延在する四辺を有している。
【００１７】
第２リブ部２８は、後壁部２２Ｂの外面の第１リブ部２６の近傍箇所で第１リブ部２６よりも開口部２４から離れた箇所に第１リブ部２６の一部分に沿って延在している。
本実施の形態では、第１リブ部２６の一部分は、第１リブ部２６の四辺のうちの一辺であり、この一辺の全長にわたって延在している。
なお、第２リブ部２８が設けられる箇所は、ストラップ挿通用孔３４寄りの第１リブ部２６の部分である。
【００１８】
凹部３２は、後壁部２２Ｂの外面で第１リブ部２６と第２リブ部２８とによりそれらの間に沿って延在形成されている。
【００１９】
第３リブ部３０は、第１リブ部２６と第２リブ部２８とを連結するものである。
本実施の形態では、第３リブ部３０は２つ設けられ、第１リブ部２６の一部分の両端と第２リブ部２８の延在方向の両端とを連結し、それら第１リブ部２６と第２リブ部２８を補強し、それらリブ部２６、２８を倒れにくくしている。
【００２０】
また、第２リブ部２８が設けられた第１リブ部２６の部分に対向する第１リブ部２６の部分は、図１７、図１８に示すように、傾斜面３６が形成されている。
この傾斜面３６は、開口部２４を構成する矩形の一辺の全長にわたって設けられている。
図１８に示すように、第１リブ部２６は、開口部２４寄りに位置する内側面２６０２と、この内側面２６０２の反対に位置する外側面２６０４とを有しており、傾斜面３６は内側面２６０２の上半部に形成されている。
図１７、図１８に示すように、傾斜面３６はケース本体２２が筐体１２に装着された状態で、表示面１８Ａから離れるに従い次第に開口部２４を大きくする傾斜で形成されている。
【００２１】
図３に示すように、鏡筒用の開口部２５を囲むように、前壁部２２Ａの外面に鏡筒用リブ部３８が膨出形成されている。
鏡筒用リブ部３８の全周には、図１７、図２１、図２２に示すように、傾斜面３９が形成されている。
鏡筒用リブ部３８は、開口部２５寄りに位置する内側面３８０２と、この内側面３８０２の反対に位置する外側面３８０４とを有しており、傾斜面３８は内側面３８０２の上半部に形成されている。
傾斜面３９はケース本体２２が筐体１２に装着された状態で、表示面１８Ａから離れるに従い次第に開口部２５を大きくする傾斜で形成されている。
【００２２】
図４に示すように、後壁部２２Ｂの左側部には、ダイヤル用操作部７２と、機能選択スイッチ用操作部７４とが設けられている。
ダイヤル用操作部７２はモードダイヤル１６Ｆを操作するためのものであり、機能選択スイッチ用操作部７４は機能選択スイッチ１６Ｇを操作するためのものである。
【００２３】
次に電子機器用ハードケース４０について説明する。
電子機器用ハードケース４０は、筐体１２に装着された電子機器用ソフトケース２０の外側から取り付けられるものである。
そして、電子機器用ハードケース４０が電子機器用ソフトケース２０の外側から取り付けられることで、それら電子機器用ハードケース４０と電子機器用ソフトケース２０とが一体となって防水ケースとして機能する。
図１０乃至図１２に示すように、電子機器用ハードケース４０は、第１分割体４２と、第２分割体４４と、保持部４６と、第１凹部４８と、第２凹部５０と、凸部５２とを含んで構成されている。
第１分割体４２と第２分割体４４はヒンジ６２を介して揺動可能に結合されている。
第１分割体４２と第２分割体４４は共に硬質材料で形成されている。
このような硬質材料として、ＰＣ（ポリカーボーネート）などの従来公知の様々な材料が採用可能であり、本実施の形態では、透明な材料を用いている。
【００２４】
第１分割体４２は、電子機器用ソフトケース２０が筐体１２に装着された状態で電子機器用ソフトケース２０の開口部２４が設けられた後壁部２２Ｂ（第１の面）に配置される。
第１分割体４２は、筐体１２に装着された電子機器用ソフトケース２０の外側から取り付けられた状態で、表示面１８Ａおよび開口部２４を覆いかつダイヤル用操作部７２と機能選択スイッチ用操作部７４とを露出させる大きさの矩形で形成されている。
【００２５】
図１２に示すように、第１分割体４２に窓部５６と、第１当て付け部５８と、第１凹部４８と、第２凹部５０と、凸部５２と、第３凹部５４とが設けられている。
窓部５６は、開口部２４を覆うように設けられ開口部２４を介して表示面１８Ａを第１分割体４２の外部に視認させるものである。
第１当て付け部５８は、後壁部２２Ｂ（第１の面）の開口部２４の周囲の全周に沿って延在し開口部２４の周囲の全周に当て付けられる箇所である。
第１凹部４８は、第１当て付け部５８が開口部２４の周囲の後壁部２２Ｂに当て付けられる内面で第１当て付け部５８の延在方向の全長にわたって延在形成されている。
第２凹部５０は、第１当て付け部５８が開口部２４の周囲の後壁部２２Ｂに当て付けられる内面で第１凹部４８の近傍かつ第１凹部４８よりも開口部２４から離れた箇所に第１凹部４８の一部分に沿って延在している。
凸部５２は、第１当て付け部５８が開口部２４の周囲の後壁部２２Ｂに当て付けられる内面で第１凹部４８と第２凹部５０の間に形成されそれら第１凹部４８と第２凹部５０に沿って延在している。
第３凹部５４は、凸部５２に、第１凹部４８と第２凹部５０とを接続するように設けられている。
本実施の形態では、第３凹部５４は、第２凹部５０の延在方向の両端と第１凹部４８とを接続するように２つ設けられている。
【００２６】
実施の形態では、開口部２４は矩形であり、第１当て付け部５８は開口部２４の矩形の四辺の外側を直線状に延在する四辺を有している。
また、第１凹部４８は、第１当て付け部５８の四辺に沿った四辺を有している。
また、第２凹部５０と凸部５２は、第１凹部４８の四辺のうちヒンジ６２から離れた一辺の全長にわたって延在している。
第１凹部４８は、電子機器用ソフトケース２０の第１リブ部２６が弾接可能に装着できるように構成されている。
第２凹部５０は、電子機器用ソフトケース２０の第２リブ部２８が弾接可能に装着できるように構成されている。
凸部５２は、電子機器用ソフトケース２０の凹部３２に弾接可能に装着できるように構成されている。
第３凹部５４は、電子機器用ソフトケース２０の第３リブ部３０が弾接可能に装着できるように構成されている。
【００２７】
また、ヒンジ６２寄りの第１凹部４８の部分に、図１７、図１８に示すように、傾斜面６０が形成されている。
この傾斜面６０は、開口部２４を構成する矩形の一辺の全長にわたって設けられている。
図１８に示すように、第１凹部４８は、開口部２４寄りに位置する内側面２６０２と、この内側面４８０２に対向する外側面４８０４とを有しており、傾斜面６０は内側面４８０２の上半部に形成されている。
図１７、図１８に示すように、傾斜面６０は電子機器用ハードケース４０が、撮像装置１０に装着された電子機器用ソフトケース２０に取り付けられた状態で、表示面１８Ａから離れるに従い次第に開口部２４を大きくする傾斜で形成されている。
【００２８】
図１５乃至図１７に示すように、第２分割体４４は、後壁部２２Ｂ（第１の面）と反対に位置する電子機器用ソフトケース２０の前壁部２２Ａ（第２の面）に配置されるものである。
第２分割体４４は、鏡筒１４の周囲に配置される本体６４と、本体６４に設けられ突出位置に位置した鏡筒１４を収容可能な筒部６６とを有している。
筒部６６が前壁部２２Ａに当て付けられる内面で開口部２５の周囲の箇所に開口部２５の全周を囲む鏡筒用凹部６８が環状に形成されている。
凹部６８は、鏡筒用リブ部３８が弾接可能に装着されるように形成されている。
筒部６６の先端は、透明材料で形成された保護板６７で閉塞されている。
【００２９】
また、凹部６８は、開口部２５寄りに位置する内側面６８０２と、この内側面６８０２に対向する外側面６８０４とを有している。
図２０、図２１に示すように、内側面６８０２の上半部の全周に傾斜面７０が形成されている。
図１７、図２０、図２１に示すように、傾斜面７０は前記内面から離れるにつれて次第に外側面６８０４から離れる傾斜で形成されている。
【００３０】
図１２に示すように、保持部４６は、第１分割体４２の上下にそれぞれ揺動可能に設けられたバックル４６０２、４６０４と、第２分割体４４の本体６４の上下に設けられそれらバックルが係止される凸部４６１０、４６１２とで構成されている。
筐体１２に装着された電子機器用ソフトケース２０の後壁部２２Ｂに第１分割体４２を位置させると共に、前壁部２２Ａに第２分割体４４を位置させ、バックル４６０２、４６０４を凸部４６１０、４６１２に係止する。これにより第１、第２分割体４２、４４により筐体１２はソフトケース２０と共に挟持される。
このような保持部４６の構成として従来公知の様々な構成が採用可能である。
なお、本実施の形態では、第２分割体４４に、筐体１２に装着された電子機器用ソフトケース２０の外側に第１分割体４２と第２分割体４４を取り付けた状態で、ストラップ挿通部３５に係合する爪部４４０２、４４０４を設けた。
詳細には、図１２、図１４に示すように、第２分割体４４の本体６４の端部に、ストラップ挿通用孔３４に挿入される爪部４４０２と、ストラップ挿通部３５に近接するソフトケース２０の箇所に当て付けられる爪部４４０４との何れか一方を形成しておく。そうすると、ストラップ挿通部３５の変位を抑制し、ストラップ挿通部３５の機能を向上する上で有利となる。
【００３１】
（使用方法）
次に電子機器用ソフトケース２０と電子機器用ハードケース４０の使用方法について説明する。
図７に示すように、撮像装置１０の筐体１２を電子機器用ソフトケース２０の開口部２４から挿入し、筐体１２に電子機器用ソフトケース２０を装着する。
これにより、図８、図９に示すように、表示面１８Ａと鏡筒１４を除いた筐体１２部分が電子機器用ソフトケース２０により覆われる。
この状態で撮像装置１０を携帯することにより、撮像装置１０が汚れや衝撃、あるいは傷つきから保護される。
【００３２】
次に、電子機器用ハードケース４０を、筐体１２に装着された電子機器用ソフトケース２０の外側に取り付ける場合について説明する。
図１３に示すように、第１分割体４２と第２分割体４４とを開放した状態で、図１６に示すように、鏡筒１４を筒部６６に臨ませつつ、電子機器用ソフトケース２０の前壁部２２Ａを第２分割体４４の本体６４に当て付ける。
これにより、鏡筒用リブ部３８が凹部６８に弾接される。
この状態で、図１７に示すように、第１分割体４２を閉じ、保持部４６のバックル４６０２、４６０４を凸部４６１０、４６１２に係止させる。
これにより、図１８乃至図２１に示すように、第１リブ部２６、第２リブ部２８、第３リブ部３０、凹部３２のそれぞれが、第１凹部４８、第２凹部５０、第３凹部５４、凸部５２のそれぞれに弾接され、かつ、この弾接された状態が維持される。
また、鏡筒用リブ部３８が凹部６８に弾接された状態が維持される。
なお、図１８乃至図２１において破線で示す部分は、第１リブ部２６、第２リブ部２８、鏡筒用リブ部３８が第１凹部４８、第２凹部５０、凹部６８に弾接して変形する前の形状を示す。言い換えると、第１リブ部２６、第２リブ部２８、鏡筒用リブ部３８の先端は、第１凹部４８、第２凹部５０、凹部６８に弾接することで実線に示すように変形する。
【００３３】
これにより、電子機器用ソフトケース２０のうち表示面１８Ａの周囲の部分は、第１リブ部２６が第１凹部４８に弾接されて装着されることで電子機器用ハードケース４０と水密に結合する。
また、電子機器用ソフトケース２０のうち鏡筒１４の周囲の部分は、鏡筒用リブ部３８が凹部６８に弾接されて装着されることで電子機器用ハードケース４０と水密に結合する。
言い換えると、表示面１８の周囲の部分と鏡筒１４の周囲の部分において電子機器用ソフトケース２０と電子機器用ハードケース４０とが水密に結合し、電子機器用ソフトケース２０と電子機器用ハードケース４０とが防水ケースとして機能する。
【００３４】
（傾斜面の作用）
次に、第１リブ部２６の傾斜面３６および第１凹部４８の傾斜面６０の作用と、鏡筒用リブ部３８の傾斜面３９および凹部６８の傾斜面７０の作用について説明する。
筐体１２に装着された電子機器用ソフトケース２０に電子機器用ハードケース４０を取り付ける際、第１リブ部２６と第１凹部４８との位置が合致せずに多少ずれたり、鏡筒用リブ部３８と凹部６８との位置が合致せずに多少ずれる場合がある。
このようにリブ部と凹部の位置がずれた状態で第１分割体４２と第２分割体４４を閉じてしまうと、第１分割体４２と第２分割体４４とを閉じる過程で、リブ部の一部が凹部からはみ出してしまい、リブ部と凹部との装着が不完全となり、水漏れが生じる懸念がある。
特に、ヒンジ６２に近い側に位置するリブ部と凹部では、ヒンジ６２を中心とした小さな値の半径で円運動し、リブ部と凹部とが傾斜した状態で接近する傾向が顕著であることから、リブ部の一部が凹部からはみ出す現象が特に生じやすくなる。
【００３５】
そこで、本実施の形態では、第１リブ部２６に傾斜面３６を設けると共に、第１凹部４８に傾斜面６０を設けた。
このような傾斜面３６、６０を設けることで第１リブ部２６と第１凹部４８とが多少ずれていたとしても、傾斜面３６、６０が接触することで第１リブ部２６が第１凹部４８内に円滑に案内され、これにより第１リブ部２６と第１凹部４８との位置が合致する。
これにより、第１リブ部２６と第１凹部４８との装着が確実に行われ、水漏れを防止する上で有利となる。
【００３６】
また、本実施の形態では、鏡筒用リブ部３８に傾斜面３９を設けると共に、凹部６８に傾斜面７０を設けた。
すなわち、上記と同様に、ヒンジ６２に近い側に位置するリブ部３８の箇所と凹部６８の箇所では、ヒンジ６２を中心とした小さな値の半径で円運動し、リブ部３８と凹部６８とが傾斜した状態で接近する傾向が顕著である。そのため、リブ部３８の一部が凹部６８からはみ出す現象が特に生じやすくなる。
そこで、傾斜面３９、７０を設けることで鏡筒用リブ部３８と凹部６８とが多少ずれていたとしても、傾斜面３９、７０が接触することで鏡筒用リブ部３８が凹部６８内に円滑に案内され、これにより鏡筒用リブ部３８と凹部６８との位置が合致する。
これにより、鏡筒用リブ部３８と凹部６８との装着が確実に行われ、水漏れを防止する上で有利となる。
【００３７】
したがって、筐体１２に装着された電子機器用ソフトケース２０に電子機器用ハードケース４０を装着する際にケース２０、４０間に多少の位置ずれが生じた場合であっても、それらケース２０、４０間を確実に水密に結合でき、防水性を確保する上で有利となる。
なお、各傾斜面３６、６０、３９、７０の傾斜角度は、１５度以上４５度以下がシリコンのリブ部２６、３８のつぶし量の面で好ましい。
傾斜角度が１５度に満たないと、シリコンとの隙間がより必要となるため、防水面のスペースの面で不利がある。
傾斜角度が４５度を超えると、シリコンつぶし量の面で不利がある。
また、リブ部２６、３８が凹部４８、６８に挿入される際に、揺動する凹部４８、６８の傾斜面６０、７０とリブ部２６、３８の傾斜面３６、３９とが干渉しないことがリブ部２６、３８をつぶす上で好ましい。
すなわち、リブ部２６、３８が凹部４８、６８に挿入される際に、リブ部２６、３８を凹部４８、６８に円滑に挿入し、リブ部２６、３８をつぶす上で、傾斜面３６、３９と凹部４８、６８の傾斜面６０、７０との間に隙間を持たせることが好ましい。
【００３８】
本実施の形態の電子機器用ソフトケース２０によれば、ケース本体２２の開口部２４に沿って延在する第１リブ部２６の近傍に第２リブ部２８を設けた。
そのため、開口部２４の周囲を硬質材料で形成された電子機器用ハードケース４０により筐体１２に押し付け、開口部２４部分を覆うことにより電子機器用ソフトケース２０と電子機器用ハードケース４０により防水ケースを構成した場合の不都合を防止できる。
すなわち、２つのリブ部２６、２８が電子機器用ハードケース４０の第１、第２凹部４８、５０に装着されることでそれらリブ部２６、２８と第１、第２凹部４８、５０との装着状態が強固に維持される。
したがって、柔軟性を有する電子機器用ソフトケース２０のケース本体２２のうち開口部２４近傍の箇所に外力による変形を生じたとしても、第１、第２リブ部２６、２８が倒れにくく、該箇所が電子機器用ハードケース４０の窓部５６から外れることはない。
したがって、水漏れを確実に防止でき、電子機器用ソフトケース２０の利便性を損なうことなく防水性を確保する上で有利となる。
【００３９】
特に、第１、第２リブ部２６、２８近傍のケース本体２２箇所にストラップ挿通用孔３４が設けられている場合、ストラップ挿通用孔３４に挿通されたストラップ紐が物に引っかかるなどして強く引っ張られるおそれがある。
しかしながら、本実施の形態では、万一ストラップ紐が強く引っ張られたとしても、リブ部２６、２８と第１、第２凹部４８、５０との装着状態が強固に維持されるので、水漏れを確実に防止する上で有利となる。
【００４０】
また、本実施の形態のように、第１リブ部２６と第２リブ部２８とを連結する第３リブ部３０を設けると、第１リブ部２６と第２リブ部２８を補強し、それらリブ部２６、２８を倒れにくくできる。
したがって、第１、第２リブ部２６、２８と第１、第２凹部４８、５０との装着状態をより強固に維持でき、水漏れを確実に防止する上でより一層有利となる。
【００４１】
また、本実施の形態の電子機器用ハードケース４０によれば、硬質材料からなる第１分割体４２のうち、ソフトケース２０の開口部２４の近傍に位置する箇所に第１凹部４８と第２凹部５０を設けた。
そのため、ソフトケース２０の開口部２４の周囲を電子機器用ハードケース４０により筐体１２に押し付け、開口部２４部分を覆うことによりソフトケース２０と電子機器用ハードケース４０により防水ケースを構成した場合の不都合を防止できる。
すなわち、ソフトケース２０の２つのリブ部２６、２８が電子機器用ハードケース４０の第１、第２凹部４８、５０に装着されることでそれらリブ部２６、２８と第１、第２凹部４８、５０との装着状態が強固に維持される。
したがって、柔軟性を有するソフトケース２０のうち開口部２４近傍の箇所に外力による変形を生じたとしても、２つのリブ部２６、２８が倒れにくく、該箇所が電子機器用ハードケース４０の窓部５６から外れることはない。
したがって、水漏れを確実に防止でき、コンパクトな形状の電子機器用ハードケース４０とソフトケース２０により防水性を確保する上で有利となる。
【００４２】
特に、２つのリブ部２６、２８近傍のソフトケース２０の箇所にストラップ挿通用孔３４が設けられている場合、ストラップ挿通用孔３４に挿通されたストラップ紐が物に引っかかるなどして強く引っ張られるおそれがある。
しかしながら、本実施の形態では、万一ストラップ紐が強く引っ張られたとしても、リブ部２６、２８と第１、第２凹部４８、５０との装着状態が強固に維持されるので、水漏れを確実に防止する上で有利となる。
また、本実施の形態のように、２つのリブ部２６、２８を補強した第３リブ部３０が装着される第３凹部５４を設けたので、２つのリブ部２６、２８と第１、第２凹部４８、５０との装着状態をより強固に維持でき、水漏れを確実に防止する上でより一層有利となる。
【００４３】
図２２は第３リブ部３０の変形例を示す。
この変形例では、凹部３２の延在方向の両端に加え、凹部３２の延在方向の中間部にも第３リブ部３０を設け、第１、第２リブ部２６、２８がより倒れにくくしたものである。
この場合には、凹部３２は第３リブ部３０により２つに分割される。
また、第３リブ部３０が弾接される第１分割体４２の第３凹部５４は、凸部５２の延在方向の両端に加え、凸部５２の延在方向の中間部に形成されることになる。
このような変形例によれば、第１、第２凹部４８、５０と第１、第２リブ部２６、２８との装着状態をより強固に維持でき、水漏れを確実に防止する上でより一層有利となる。
【符号の説明】
【００４４】
１０……撮像装置、１２……筐体、１８Ａ……表示面、２０……電子機器用ソフトケース、２２……ケース本体、２４……開口部、２６……第１リブ部、２８……第２リブ部、３２……凹部、４０……電子機器用ハードケース、４２……第１分割体、４４……第２分割体、４６……保持部、４８……第１凹部、５０……第２凹部、５２……凸部、５６……窓部、５８……第１当て付け部。
【図１】
2010191010.tif 000003
【図２】
2010191010.tif 000004
【図３】
2010191010.tif 000005
【図４】
2010191010.tif 000006
【図５】
2010191010.tif 000007
【図６】
2010191010.tif 000008
【図７】
2010191010.tif 000009
【図８】
2010191010.tif 000010
【図９】
2010191010.tif 000011
【図１０】
2010191010.tif 000012
【図１１】
2010191010.tif 000013
【図１２】
2010191010.tif 000014
【図１３】
2010191010.tif 000015
【図１４】
2010191010.tif 000016
【図１５】
2010191010.tif 000017
【図１６】
2010191010.tif 000018
【図１７】
2010191010.tif 000019
【図１８】
2010191010.tif 000020
【図１９】
2010191010.tif 000021
【図２０】
2010191010.tif 000022
【図２１】
2010191010.tif 000023
【図２２】
2010191010.tif 000024